(57)【要約】【課題】放送を受信して印刷する際に、放送番組の予約操作のみで番組視聴中の煩雑なリモコン操作を不要とし、操作性の改善と使い勝手の向上をはかる。【解決手段】印刷可能なコンテンツに対して識別子が付されて放送される番組情報を受信するデータ放送受信装置であって、電子番組ガイドを参照して指定される識別子を持つ放送番組名と放送時間を予約設定する印刷コンテンツ予約設定部１１１、番組情報を受信して予約した放送番組情報の中から識別子に基づく印刷コンテンツをダウンロードして得、蓄積保存する印刷コンテンツ蓄積部１１４、蓄積された印刷コンテンツを印刷するコンテンツ印刷部１１５で構成される。【選択図】      図２
2004297346.tif 000002
【特許請求の範囲】
【請求項１】
印刷可能なコンテンツに対して識別子が付されて放送されるデータ放送において、前記印刷可能なコンテンツを受信して印刷するデータ放送受信装置であって、
前記識別子が付された印刷可能なコンテンツを、放送番組名と放送時間とを指定して予約設定する印刷コンテンツ予約設定部と、
前記予約設定した印刷可能なコンテンツを前記指定した放送時間に受信して得、蓄積保存する印刷コンテンツ蓄積部と、
前記蓄積保存された印刷可能なコンテンツを印刷するコンテンツ印刷部と、
を備えたことを特徴とするデータ放送受信装置。
【請求項２】
前記印刷コンテンツ蓄積部は、前記データ放送受信のためのチューナとは別のチューナを用いて前記印刷可能なコンテンツを得る
ことを特徴とする請求項１に記載のデータ放送受信装置。
【請求項３】
前記印刷コンテンツ蓄積部は、前記印刷可能なコンテンツを得るとき、ストリームのスクランブルを解除し、ストリームを分離して印刷コンテンツのみを記録媒体に蓄積保存する
ことを特徴とする請求項１または２に記載のデータ放送受信装置。
【請求項４】
前記印刷コンテンツ予約設定部は、蓄積日時を設定可能とし、
前記印刷コンテンツ蓄積部は、該印刷コンテンツ予約設定部により設定された蓄積日時に基づき前記得られる印刷コンテンツを記録媒体に蓄積保存する
ことを特徴とする請求項１〜３のいずれか１項に記載のデータ放送受信装置。
【請求項５】
前記印刷コンテンツ予約設定部は、印刷日時を設定可能とし、
前記コンテンツ印刷部は、前記印刷コンテンツ予約設定部によって設定された印刷日時に基づき前記蓄積保存された印刷コンテンツの印刷を行う
ことを特徴とする請求項１から請求項３のいずれかの項に記載のデータ放送受信装置。
【請求項６】
印刷可能なコンテンツに対して識別子が付されて放送されるデータ放送において、前記印刷可能なコンテンツを受信して印刷する印刷方法であって、
前記識別子が付された印刷可能なコンテンツを、放送番組名と放送時間とを指定して予約設定する工程と、
前記予約設定した印刷可能なコンテンツを前記指定した放送時間に受信して得、蓄積保存する工程と、
前記蓄積保存された印刷可能なコンテンツを印刷する工程と、
を有することを特徴とするデータ放送における受信コンテンツの印刷方法。
【請求項７】
印刷可能なコンテンツに対して識別子を付す工程と、
該識別子が付された印刷可能なコンテンツをデータ放送する工程と
を有することを特徴とする印刷コンテンツ送信方法。
【請求項８】
印刷可能なコンテンツに対して識別子が付されて放送されるデータ放送において、前記印刷可能なコンテンツを送受信して印刷する印刷システムであって、
該印刷可能なコンテンツに対して識別子を付し、該識別子が付された印刷可能なコンテンツをデータ放送する送信装置と、
請求項１から請求項５のいずれかの項に記載のデータ放送受信装置と
を有することを特徴とする印刷システム。
【発明の詳細な説明】
【０００１】
【発明の属する技術分野】
本発明は、データ放送コンテンツを印刷することのできる、データ放送受信装置、およびデータ放送における受信コンテンツの印刷方法に関する。
【０００２】
【従来の技術】
ディジタル放送は、通信衛星によるＣＳディジタル放送、放送衛星によるＢＳディジタル放送が開始され、２００３年末には地上波ディジタル放送も開始されようとしている。これらディジタル放送は、社団法人、電波産業会（ＡＲＩＢ：Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）による標準規格ＡＲＩＢ−ＳＴＤ−Ｂｘｘに基づいて、映像、音声の従来型の放送に加え、データ放送も実施している。
【０００３】
ところで、放送を受信して印刷する方法は、上記したＡＲＩＢ−ＳＴＤ−Ｂｘｘに明示的な規定がないため、ＡＲＩＢ−ＳＴＤ−Ｂｘｘの拡張として実装することになる。
従来、データ放送のコンテンツに、印刷用の拡張ＡＰＩ、具体的には、ｐｒｎＳｔａｒｔ（“ｐｒｉｎｔｄａｔａ．ｘｍｌ”）を導入して印刷を可能にする方法があった（特許文献２参照）。すなわち、データ放送において、表示コンテンツ中に印刷ボタンを配置して、表示コンテンツと連動して印刷コンテンツ（ｐｒｉｎｔｄａｔａ．ｘｍｌ）の印刷を可能にしている。例えば、ニュース番組では、“政治”、“スポーツ”といったボタンを選択すると、その政治、スポーツのニュースを表示させる一方で、政治やスポーツの纏めの印刷ボタンを選択することで、政治やスポーツのニュースの纏めに関する印刷を行う。
【０００４】
【特許文献１】
特開２００２−１５８９７９号公報
【０００５】
【発明が解決しようとする課題】
しかしながら、上記した従来技術によれば、その番組を視聴していて、かつ、リモコンによる選択や決定ボタンの押下等、意図したオペレーションを実行しなければ印刷ができない。また、番組を録画した場合においても後に再生した場合、希望の印刷コンテンツを見つけるまでに煩雑なリモコン操作が伴い、操作性の観点から問題があった。
【０００６】
本発明は上記事情に鑑みてなされたものであり、放送を受信して印刷する際に、放送番組の予約操作のみで番組視聴中の煩雑なリモコン操作を不要とし、このことにより、操作性の改善と使い勝手の向上をはかった、データ放送受信装置、およびデータ放送における受信コンテンツの印刷方法を提供することを目的とする。
【０００７】
【課題を解決するるための手段】
上記した課題を解決するために本発明は、印刷可能なコンテンツに対して識別子が付されて放送されるデータ放送において、前記印刷可能なコンテンツを受信して印刷するデータ放送受信装置であって、前記識別子が付された印刷可能なコンテンツを、放送番組名と放送時間とを指定して予約設定する印刷コンテンツ予約設定部と、前記予約設定した印刷可能なコンテンツを前記指定した放送時間に受信して得、蓄積保存する印刷コンテンツ蓄積部と、前記蓄積保存された印刷可能なコンテンツを印刷するコンテンツ印刷部とを備えたことを特徴とする。
【０００８】
本発明によれば、印刷コンテンツ蓄積部が、印刷コンテンツ予約設定部により予約設定された放送番組情報の中から識別子に従う印刷コンテンツをダウンロードして得、その内容を蓄積保存し、コンテンツ印刷部を介して蓄積された印刷コンテンツを印刷することにより、放送を受信して印刷する際に、放送番組の予約操作のみで番組視聴中の煩雑なリモコン操作を不要とするため、操作性の改善と使い勝手の向上をはかったデータ放送受信装置を提供することができる。
【０００９】
ここで、番組情報には少なくとも放送番組名、放送時間、コンテンツ名（各コンテンツの印刷可、不可の情報）が含まれる。すなわち、データ放送受信装置はこの番組情報を受信しプリント可能なコンテンツの有無を表示する電子番組表を作成し、ユーザは、この電子番組表を参照して、放送番組名、放送時間を指定する。
なお、電子番組は、放送される番組情報以外にもインターネット等を通じてサービスプロバイダから入手しても良い。
【００１０】
また、本発明において、前記印刷コンテンツ蓄積部は、前記データ放送受信のためのチューナとは別のチューナを用いて前記印刷可能なコンテンツを得ることを特徴とする。
本発明によれば、印刷コンテンツ蓄積部がデータ放送受信とは別のチューナを用いて印刷コンテンツを受信するため、印刷コンテンツの蓄積を放送受信と独立して動作させることができ、このため、蓄積日時に関する予約等を可能にする。
【００１１】
また、本発明において、前記印刷コンテンツ蓄積部は、前記印刷可能なコンテンツを得るとき、ストリームのスクランブルを解除し、ストリームを分離して印刷コンテンツのみを記録媒体に蓄積保存することを特徴とする。
本発明によれば、印刷コンテンツ蓄積部が印刷コンテンツのみを記録媒体に蓄積保存するため、コンテンツ印刷部により読み出しが容易になり、印刷をスムーズに行うことができる。
【００１２】
また、本発明において、前記印刷コンテンツ予約設定部は、蓄積日時を設定可能とし、前記印刷コンテンツ蓄積部は、該印刷コンテンツ予約設定部により設定された蓄積日時に基づき前記得られる印刷コンテンツを記録媒体に蓄積保存することを特徴とする。
本発明によれば、印刷コンテンツ蓄積部が予約設定された蓄積日時情報に基づき得られる印刷コンテンツを記録媒体に蓄積保存することで、蓄積日時の予約設定も可能となり、このことにより、視聴の有無に依存することなく放送番組の蓄積保存が可能になり、使い勝手の向上がはかれる。
【００１３】
また、本発明において、前記印刷コンテンツ予約設定部は、印刷日時を設定可能とし、前記コンテンツ印刷部は、前記印刷コンテンツ予約設定部によって設定された印刷日時に基づき前記蓄積保存された印刷コンテンツの印刷を行うことを特徴とする。
本発明によれば、コンテンツ印刷部が予約設定された印刷日時に基づき蓄積保存された印刷コンテンツの印刷を行うことにより、印刷日時の予約設定が可能であることから使い勝手の向上がはかれる。
【００１４】
上記した課題を解決するために本発明は、印刷可能なコンテンツに対して識別子が付されて放送されるデータ放送において、前記印刷可能なコンテンツを受信して印刷する印刷方法であって、前記識別子が付された印刷可能なコンテンツを、放送番組名と放送時間とを指定して予約設定する工程と、前記予約設定した印刷可能なコンテンツを前記指定した放送時間に受信して得、蓄積保存する工程と、
前記蓄積保存された印刷可能なコンテンツを印刷する工程と、を有することを特徴とする。
また、上記した課題を解決するために本発明は、印刷可能なコンテンツに対して識別子を付す工程と、該識別子が付された印刷可能なコンテンツをデータ放送する工程とを有することを特徴とする。
また、上記した課題を解決するために本発明は、印刷可能なコンテンツに対して識別子が付されて放送されるデータ放送において、前記印刷可能なコンテンツを送受信して印刷する印刷システムであって、該印刷可能なコンテンツに対して識別子を付し、該識別子が付された印刷可能なコンテンツをデータ放送する送信装置と、請求項１から請求項５のいずれかの項に記載のデータ放送受信装置とを有することを特徴とする。
【００１５】
本発明によれば、予約設定された放送番組情報の中から識別子に従う印刷コンテンツをダウンロードして得てその内容を蓄積保存し、当該蓄積保存された印刷コンテンツを印刷することにより、放送を受信して印刷する際に、放送番組の予約操作のみで番組視聴中の煩雑なリモコン操作を不要とするため、操作性の改善と使い勝手の向上がはかれる。
【００１６】
【発明の実施の形態】
図１は、本発明の放送データ受信装置の内部構成を示すブロック図である。本発明の放送データ受信装置は、各部を統合的に制御するＣＰＵ１１と、フラッシュメモリとＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）から成るメモリ１２と、ＣＰＵ１１の制御の下で印刷コンテンツが蓄積保存される記録媒体であるハードディスク１３と、本発明装置を構成する各ブロックを電話回線網に接続するネットワークインタフェース１４とを備える。印刷コンテンツの詳細は後述する。
また、本発明の放送データ受信装置は、各種ボタンを備える図６に示すリモコンからの指示を受信するリモコンインタフェース１５と、ＩＣカードが装着され、これをインタフェースするＩＣカードインタフェース１６と、プリンタが接続される、例えば、ＩＥＥＥ１３９４インタフェースが実装されたプリンタインタフェース１７とを備える。上記した各ブロック１１〜１７は、アドレス、データ、コントロールのためのラインが複数本で成るシステムバス１８に共通接続される。
【００１７】
本発明の放送データ受信装置は、更に、チューナ２１、２２と、復調部を構成する誤り訂正回路２３、スクランブル解除回路２４、そして、ストリーム分離回路２５と、デコーダ２６とを備える。
チューナ２１、２２は、一方（２１）が放送受信用、他方（２２）が印刷コンテンツのダウンロード用に用いられる。復調部は、アンテナから入力された放送波からユーザが選択したコンテンツのトランスポートストリーム（ＴＳ）を復元する回路である。ストリーム分離回路２５は、ＩＣカードインタフェース１６に装着された、例えば、Ｂ−ＣＡＳ（Ｃｏｎｄｉｔｉｏｎａｌ  Ａｃｃｅｓｓ  Ｓｙｓｔｅｍ）カードと連携してスクランブルされているＴＳをデスクランブルする回路である。ストリーム分離回路２５は、放送関連のデータをデコーダ２６へ供給し、データ放送関連のデータや番組情報をメモリ１２へ供給する。
デコーダ２６は、ストリーム分離回路２５からのデータおよびメモリ１２に記憶されたデータに基づき、映像信号および音声信号を生成する回路である。
【００１８】
図２は、本発明のデータ放送における受信コンテンツの印刷方法を実現するデータ放送受信装置の内部構成を機能展開して示したブロック図である。
ここに示される各ブロックは、具体的には、図１に示すメモリ１２に記録されたプログラムをＣＰＵ１１が読み出し実行することにより実現される機能である。ここでは本発明の放送データ受信装置は、データ放送受信部１１１と、印刷コンテンツ予約設定部１１２と、印刷コンテンツ判定部１１３と、印刷コンテンツ蓄積部１１４と、コンテンツ印刷部１１５で構成される。
【００１９】
データ放送受信部１１１は、放送局から、印刷可能なコンテンツに対して識別子が付されて放送される番組情報、および電子番組ガイド（ＥＰＧ：Ｅｌｅｃｔｒｏｎｉｃ  Ｐｒｏｇｒａｍ  Ｇｕｉｄｅ）を、チューナ２１を介して受信して、誤り訂正回路２３、スクランブル解除回路３４、ストリーム分離回路２５、デコーダ２６を経てディスプレイ（テレビ受像機）へ供給する他に、その番組情報、および電子番組ガイド印刷コンテンツ判定部１１３へ供給する機能を持つ。
一方、印刷コンテンツ予約設定部１１２は、ユーザが電子番組ガイドを参照することにより指定される、コンテンツ印刷のための識別子（プリントコンテンツＩＤ）を持つ放送番組名と放送時間を装置に予約設定する機能を持つ。印刷コンテンツ判定部１３が、データ放送受信部１１１により受信される番組情報の中から先のプリントコンテンツＩＤを持つ予約設定された放送番組を特定して印刷コンテンツ蓄積部１１４を起動する。
【００２０】
起動された印刷コンテンツ蓄積部１１４は、印刷コンテンツ判定部１１３による指示の下でチューナ２２を介してその印刷コンテンツをダウンロードして入手し、ハードディスク１３に蓄積保存する機能を持つ。
なお、印刷コンテンツ蓄積部１１４は、チューナ２２を介して印刷コンテンツをダウンロードして受信するときに、ストリームのスクランブルを解除し、ストリームを分離して印刷コンテンツのみをハードディスク１３に蓄積保存する。印刷コンテンツ蓄積部１１４はまた、印刷コンテンツ判定部１３による指示の下で印刷コンテンツ予約設定部１１２により設定された蓄積日時情報に基づき得られる印刷コンテンツを蓄積保存することもできる。
【００２１】
コンテンツ印刷部１１５は、ハードディスク１３に蓄積保存された印刷コンテンツを読み出して印刷する機能を持つ。コンテンツ印刷部１１５はまた、印刷コンテンツ判定部１３による指示の下で印刷コンテンツ予約設定部１１２によって設定された印刷日時情報に基づき蓄積保存された印刷コンテンツの印刷行うことができる。
【００２２】
図３〜図５は、本発明実施形態の動作を説明するために引用したフローチャートであり、ユーザの操作手順、本発明のデータ放送受信装置による蓄積保存のための手順、印刷手順のそれぞれを示す。
以下、図３〜図５に示すフローチャートを参照しながら図１、図２に示す本発明実施形態の動作について詳細に説明する。
【００２３】
動作説明に先立ち、データ放送の前提として、放送局では、印刷可能なコンテンツを放送する場合、番組情報に、印刷可能なコンテンツに対して識別子（プリントコンテンツＩＤ）を付して放送することとする。
図３に示すフローチャートにおいて、ユーザは、まず、図６に示すリモコンを操作してＥＰＧボタンを押下する（Ｓ３１）。このことにより、本発明のデータ放送受信装置は、番組情報を用いて表示するＥＰＧでプリントコンテンツＩＤを使った番組名を表示する。図７にＥＰＧ画面の一例が示されている。ユーザは、更に、リモコンのカーソルキーを操作することによって必要な印刷コンテンツを選択し、決定ボタンを押下することにより、印刷コンテンツを予約設定する（Ｓ３２、Ｓ３３）。なお、このとき、印刷日時を指定することも可能であり（Ｓ３４）、その場合に使用される印刷日時の予約設定画面の一例が図８に示されている。
【００２４】
印刷コンテンツ予約設定部１１２は、都度予約設定されたデータを取り込み、ＥＰＧを参照して指定される上記したプリントコンテンツＩＤを持つ放送番組名と放送時間、必要に応じて印刷時間等につき、メモリ１２に設定登録を行う。
なお、ユーザがＥＰＧを表示したときに、プリントコンテンツＩＤを持つ番組名と放送時間を指定してハードディスク１３への蓄積予約を行うことも可能である。このことにより、通常のテレビ番組の録画と同じ感覚で扱うことができる。上記したように、蓄積された印刷コンテンツを印刷する日時に関する予約も可能であり、毎日定時、またはＸ曜日定時のシリーズ蓄積予約、印刷予約等のバリエーションも可能である。また、ＥＰＧは、放送される番組情報以外にも、インターネットによりサービスプロバイダから入手しても良い。
【００２５】
上記により予約設定された後、本発明のデータ放送受信装置は、指定の番組が放送されたとき、指定の時間にそのプリントコンテンツＩＤを持つ印刷コンテンツがチューナ２２を介してダウンロードしてハードディスク１３へ蓄積保存する。
図４に示すフローチャートにおいて、印刷コンテンツ判定部１３は、データ放送受信部１１１を介し、チューナ２１により受信されている現在の番組情報を取得して蓄積予約コンテンツであるか否かを監視している（Ｓ４１、Ｓ４２）。ここで、印刷コンテンツ判定部１３がプリントコンテンツＩＤを参照することにより、蓄積予約コンテンツであり、かつ、必要に応じて蓄積予約時間が設定された場合にはその時間を監視して、印刷コンテンツ蓄積部１１４を起動する。
このことにより、印刷コンテンツ蓄積部１１４は、指定の時刻にそのプリントコンテンツＩＤを持つ印刷コンテンツを、チューナ２２を介してダウンロードし、その内容をハードディスク１３へ蓄積保存する（Ｓ４３）。このとき、印刷コンテンツ蓄積部１１４は、誤り訂正、スクランブル解除、ストリーム分離等復調のための処理も行い、印刷コンテンツのみをハードディスク１３へ蓄積保存する。
【００２６】
上記した印刷コンテンツの蓄積保存終了後、コンテンツ印刷部１１５が起動され、ここで、印刷が行なわれる。なお、印刷時間の予約設定が行われていた場合は、その日時を監視して印刷を行う。
図５に示すフローチャートにおいて、印刷コンテンツ判定部１３は、システムタイマ等から現在の日時を取得して（Ｓ５１）、印刷予約時間情報と比較し、印刷予約日時に至ったときに（Ｓ５２Ｙｅｓ）、コンテンツ印刷部１１５を起動し、コンテンツ印刷部１１５が、ハードディスク１３に蓄積保存されてある印刷コンテンツを読み出し（Ｓ５３）、印刷を開始する（Ｓ５４）。
なお、印刷にあたり、コンテンツ印刷部１１５は、印刷用紙とインクのチェックを行い、レンダリングの処理を行った後、ＩＥＥＥ１３９４が実装されたプリンタインタフェース１７を介し接続されるプリンタへ転送し、印刷終了を確認して動作を終了する。
【００２７】
以上説明のように本発明は、放送を受信して印刷する際に、放送番組の予約操作のみで番組視聴中の煩雑なリモコン操作を不要とし、このことにより、操作性の改善と使い勝手の向上をはかったものである。
すなわち、本発明によれば、一般のディジタルテレビ受像機を用いて新聞、雑誌、書籍、広告等の印刷用ディジタルコンテンツをダウンロードして印刷することができ、その際に、放送番組の予約操作のみで番組視聴中の煩雑なリモコン操作を不要とし、操作性の改善と使い勝手の向上がはかれる。
また、ハードディスク等記録媒体への蓄積日時、印刷日時についても予約操作が可能であるため、視聴の有無に依存することなく放送番組の蓄積保存が可能となり、予約設定された印刷日時情報に基づき蓄積保存された印刷コンテンツの印刷を行うことができ、使い勝手の向上がはかれる。
なお、プリントコンテンツの例としては、新聞、広告、連載小説、連載漫画等々があげられる。例えば、新聞の場合、放送局は深夜に配信を行い、ユーザは、事前に印刷予約しておくことにより、朝起きてから新聞を閲覧することが可能になる。また、上記した本発明実施形態では、予約方法につき、ＥＰＧをベースに説明したが、このことに制限されず、“プリントナビゲータ”等のプリント専用プログラムを用いれば印刷とリンクして設計できるため、拡張性の高いシステム構築が可能になる。また、本発明は、パソコンを持たない環境で印刷コンテンツの配信および受信を行うシステム全般に同様に応用可能である。
【００２８】
また、図２に示すデータ放送受信部１１１と、印刷コンテンツ予約設定部１１２と、印刷コンテンツ判定部１１３と、印刷コンテンツ蓄積部１１４と、コンテンツ印刷部１１５のそれぞれで実行される手順をコンピュータ読取り可能な記録媒体に記録し、この記録媒体に記録されたプログラムをコンピュータシステムに読み込ませ、実行することにより本発明のデータ放送受信装置が実現されるものとする。ここでいうコンピュータシステムとは、ＯＳや周辺機器等のハードウェアを含むものである。
【００２９】
また、「コンピュータシステム」は、ＷＷＷシステムを利用している場合であれば、ホームページ提供環境（あるいは表示環境）、またはインターネット放送も含むものとする。
また、「コンピュータ読取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００３０】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３１】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【図１】本発明実施形態の構成を示すブロック図である。
【図２】本発明実施形態が持つ機能をブロック展開して示した図である。
【図３】本発明実施形態の動作を示すフローチャートである。
【図４】本発明実施形態の動作を示すフローチャートである。
【図５】本発明実施形態の動作を示すフローチャートである。
【図６】本発明で使用されるリモコンの外観を示す図である。
【図７】本発明で使用されるＥＰＧ表示の一例を示す図である。
【図８】本発明で使用される印刷日時入力画面の一例を示す図である。
【符号の説明】
１１…ＣＰＵ、１２…メモリ、１３…ハードディスク、２１（２２）…チューナ、１１１…データ放送受信部、１１２…印刷コンテンツ予約設定部、１１３…印刷コンテンツ判定部、１１４…印刷コンテンツ蓄積部、１１５…コンテンツ印刷部
【図１】
2004297346.tif 000003
【図２】
2004297346.tif 000004
【図３】
2004297346.tif 000005
【図４】
2004297346.tif 000006
【図５】
2004297346.tif 000007
【図６】
2004297346.tif 000008
【図７】
2004297346.tif 000009
【図８】
2004297346.tif 000010